【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
所定の制御を行う制御手段と、
該制御手段が用いるデータが格納されたデータ格納手段と、
を備え、
前記制御手段が搭載された制御基板とは別個のデータ格納基板に前記データ格納手段を搭載した遊技機であって、
前記制御手段から前記データ格納手段に対して使用するデータを指定するための信号を出力する第１のバスと、
前記第１のバスの駆動電流を増幅するための第１のバスバッファと、
前記制御手段が指定したデータを前記データ格納手段から前記制御手段に対して出力する第２のバスと、
前記第２のバスの駆動電流を増幅するための第２のバスバッファと、
を備え、
前記制御手段は、演出の制御を行う制御手段であり、
前記制御基板上に前記第１のバスバッファを設け、前記データ格納基板上に前記第２のバスバッファを設け、
前記データ格納手段に接続される前記第２のバスのビット数を複数種類のビット数から選択・設定することが可能とされており、
前記データ格納基板側の前記第２のバスのうち前記データ格納手段に接続されるビットの信号線に対して前記第２のバスバッファを設け、前記データ格納手段に接続されないビットの信号線には前記第２のバスバッファを設けずに前記データ格納手段に接続されないビットの信号線が抵抗を介して駆動電源に接続されることで、前記データ格納手段に接続されるビットの信号線よりも前記データ格納手段に接続されないビットの信号線にノイズを飛来しやすくする
ことを特徴とする遊技機。
【手続補正２】
【補正対象書類名】明細書
【補正対象項目名】０００７
【補正方法】変更
【補正の内容】
【０００７】
上記課題を解決するために、本発明の請求項１に記載の遊技機は、
所定の制御を行う制御手段と、
該制御手段が用いるデータが格納されたデータ格納手段と、
を備え、
前記制御手段が搭載された制御基板とは別個のデータ格納基板に前記データ格納手段を搭載した遊技機であって、
前記制御手段から前記データ格納手段に対して使用するデータを指定するための信号を出力する第１のバスと、
前記第１のバスの駆動電流を増幅するための第１のバスバッファと、
前記制御手段が指定したデータを前記データ格納手段から前記制御手段に対して出力する第２のバスと、
前記第２のバスの駆動電流を増幅するための第２のバスバッファと、
を備え、
前記制御手段は、演出の制御を行う制御手段であり、
前記制御基板上に前記第１のバスバッファを設け、前記データ格納基板上に前記第２のバスバッファを設け、
前記データ格納手段に接続される前記第２のバスのビット数を複数種類のビット数から選択・設定することが可能とされており、
前記データ格納基板側の前記第２のバスのうち前記データ格納手段に接続されるビットの信号線に対して前記第２のバスバッファを設け、前記データ格納手段に接続されないビットの信号線には前記第２のバスバッファを設けずに前記データ格納手段に接続されないビットの信号線が抵抗を介して駆動電源に接続されることで、前記データ格納手段に接続されるビットの信号線よりも前記データ格納手段に接続されないビットの信号線にノイズを飛来しやすくする
ことを特徴としている。
本発明の手段１の遊技機は、
所定の制御を行う制御手段（演出制御用ＣＰＵ１０４／アミューズメントＬＳＩ１０６）と、
該制御手段（演出制御用ＣＰＵ１０４／アミューズメントＬＳＩ１０６）が用いるデータが格納されたデータ格納手段（演出制御用ＲＯＭ１０８／画像・音・ＬＥＤＲＯＭ１０９）と、
を備え、
前記制御手段（演出制御用ＣＰＵ１０４／アミューズメントＬＳＩ１０６）が搭載された制御基板（演出制御基板８０）とは別個のデータ格納基板（演出用ＲＯＭ基板５０）に前記データ格納手段（演出制御用ＲＯＭ１０８／画像・音・ＬＥＤＲＯＭ１０９）を搭載した遊技機（パチンコ遊技機１）であって、
前記制御手段（演出制御用ＣＰＵ１０４／アミューズメントＬＳＩ１０６）から前記データ格納手段（演出制御用ＲＯＭ１０８／画像・音・ＬＥＤＲＯＭ１０９）に対して使用するデータを指定するための信号を出力する第１のバス（アドレスバス（ＣＰＵ）／アドレスバス（ＬＳＩ））と、
前記第１のバス（アドレスバス（ＣＰＵ）／アドレスバス（ＬＳＩ））の駆動電流を増幅するための第１のバスバッファ（バスバッファ１１０／バスバッファ１１１）と、
前記制御手段（演出制御用ＣＰＵ１０４／アミューズメントＬＳＩ１０６）が指定したデータを前記データ格納手段（演出制御用ＲＯＭ１０８／画像・音・ＬＥＤＲＯＭ１０９）から前記制御手段（演出制御用ＣＰＵ１０４／アミューズメントＬＳＩ１０６）に対して出力する第２のバス（データバス（ＣＰＵ）／データバス(ＬＳＩ)）と、
前記第２のバス（データバス（ＣＰＵ）／データバス(ＬＳＩ)）の駆動電流を増幅するための第２のバスバッファ（バスバッファ１１２／バスバッファ１１３、１１４）と、
を備え、
前記制御基板（演出制御基板８０）上に前記第１のバスバッファ（バスバッファ１１０／バスバッファ１１１）を設け、前記データ格納基板（演出用ＲＯＭ基板５０）上に前記第２のバスバッファ（バスバッファ１１２／バスバッファ１１３、１１４）を設け、
前記データ格納手段に接続される前記第２のバスのビット数を複数種類のビット数から選択・設定することが可能とされており、
前記データ格納基板側の前記第２のバスのうち前記データ格納手段に接続されるビットの信号線に対して前記第２のバスバッファを設け、前記データ格納手段に接続されないビットの信号線には前記第２のバスバッファを設けずに前記データ格納手段に接続されないビットの信号線が抵抗を介して駆動電源に接続されることで、前記データ格納手段に接続されるビットの信号線よりも前記データ格納手段に接続されないビットの信号線にノイズを飛来しやすくする
ことを特徴としている。
この特徴によれば、制御手段からデータ格納手段に対して使用するデータを指定するための信号を出力する第１のバスの駆動電流を増幅する第１のバスバッファは、制御手段が搭載された制御基板側に設けられ、制御手段が指定したデータをデータ格納手段から制御手段に対して出力する第２のバスの駆動電流を増幅する第２のバスバッファは、データ格納手段が搭載されたデータ格納基板側に設けられるので、基板を跨ぐ手前でそれぞれのバスの駆動電流が増幅されるので、制御基板とデータ格納基板とを跨ぐ部分から受けるノイズの影響を極力抑えることができる。
【手続補正３】
【補正対象書類名】明細書
【補正対象項目名】０００８
【補正方法】変更
【補正の内容】
【０００８】
本発明の手段２の遊技機は、手段１に記載の遊技機であって、
前記制御基板（演出制御基板８０）には、前記第１のバス（アドレスバス（ＣＰＵ）／アドレスバス（ＬＳＩ））及び前記第２のバス（データバス（ＣＰＵ）／データバス(ＬＳＩ)）を前記データ格納基板（演出用ＲＯＭ基板５０）側と接続するための第１のコネクタ（コネクタ８０Ｃ）が搭載され、前記データ格納基板（演出用ＲＯＭ基板５０）には、前記第１のバス（アドレスバス（ＣＰＵ）／アドレスバス（ＬＳＩ））及び前記第２のバス（データバス（ＣＰＵ）／データバス(ＬＳＩ)）を前記制御基板（演出制御基板８０）側と接続するための第２のコネクタ（コネクタ５０Ｃ）が搭載されており、
前記第１のバスバッファ（バスバッファ１１０／バスバッファ１１１）は、前記第１のコネクタ（コネクタ８０Ｃ）の近傍に配置され、前記第２のバスバッファ（バスバッファ１１２／バスバッファ１１３、１１４）は、前記第２のコネクタ（コネクタ５０Ｃ）の近傍に配置されている
ことを特徴としている。
この特徴によれば、基板を跨ぐ直前でそれぞれのバスの駆動電流が増幅されるので、制御基板とデータ格納基板とを跨ぐ部分の電圧降下を効果的に抑制でき、ノイズの影響をより確実に抑えることができる。
【手続補正４】
【補正対象書類名】明細書
【補正対象項目名】０００９
【補正方法】変更
【補正の内容】
【０００９】
本発明の手段３の遊技機は、手段１または２に記載の遊技機であって、
前記第１のバスバッファ（バスバッファ１１０／バスバッファ１１１）が駆動電流を増幅する性能と、前記第２のバスバッファ（バスバッファ１１２／バスバッファ１１３、１１４）が駆動電流を増幅する性能と、が同一である
ことを特徴としている。
この特徴によれば、第１のバスバッファにより増幅された駆動電流と、第２のバスバッファの性能により増幅された駆動電流と、に偏りが生じることがなく、一方が他方に比べてノイズの影響を受けやすくなってしまうことを防止できる。
【手続補正５】
【補正対象書類名】明細書
【補正対象項目名】００１０
【補正方法】変更
【補正の内容】
【００１０】
本発明の手段４の遊技機は、手段１〜３のいずれかに記載の遊技機であって、
前記データ格納手段に接続される前記第２のバス（データバス（ＬＳＩ））のビット数を複数種類のビット数から選択・設定することが可能とされており、
前記データ格納基板（演出用ＲＯＭ基板５０”）側の前記第２のバス（データバス（ＬＳＩ））のうち前記データ格納手段（画像・音・ＬＥＤＲＯＭ１０９ｃ）に接続されるビットの信号線（下位３２ビットのバスライン）に対してのみ前記第２のバスバッファ（バスバッファ１１４’）を設け、前記データ格納手段（画像・音・ＬＥＤＲＯＭ１０９ｃ）に接続されないビットの信号線（上位３２ビットのバスライン）には前記第２のバスバッファを設けない
ことを特徴としている。
この特徴によれば、第２のバスのうちデータ格納手段に接続されているビットの信号線にはバスバッファを設ける一方で、データ格納手段に接続されないビットの信号線にバスバッファを設けないことにより、データ格納手段に接続されているビットの信号線よりもデータ格納手段に接続されないビットの信号線にノイズが飛来しやすくなり、結果としてデータ格納手段に接続されているビットの信号線のノイズの影響をさらに抑えることができる。